(57)【要約】【課題】波形状のフィンを用いた場合であっても、通風抵抗を小さく抑えつつ、結露水の排水を促すことが可能な空気調和装置の熱交換器を提供する。【解決手段】第１フィン７１は、第１扁平伝熱管５１と第２扁平伝熱管５２との間に位置しており、第１扁平伝熱管５１と第２扁平伝熱管５２とのに接している。この第１フィン７１は、厚み方向が空気流れ方向に直交するように設けられており、空気流れ方向から見た場合に波形状となっており、波形状の谷の部分において上下に貫通したフィン貫通開口Ｈ１を有している。第２扁平伝熱管５２は、フィン貫通開口Ｈ１と鉛直方向に重なる部分を有する位置において上下に貫通した排水空間Ｍ２を有している。【選択図】図４
2010025481.tif 000002
【特許請求の範囲】
【請求項１】
空気調和装置に用いられ、空冷式でかつ強制通風式の熱交換器（１）であって、
前記強制通風により水平方向に生じる空気流れ方向に対して直交している水平方向に冷媒を流す第１冷媒通路を有している第１伝熱管（５１）と、
前記第１伝熱管の鉛直下方に配置され、前記空気流れ方向に対して平行な方向に冷媒を流す第２冷媒通路を有している第２伝熱管（５２）と、
少なくとも前記第１伝熱管と前記第２伝熱管との間に位置しており、厚み方向が前記空気流れ方向に直交するように設けられ、前記空気流れ方向から見た場合に波形状となっており、前記第１伝熱管と前記第２伝熱管との少なくともいずれかに接しているフィン（７１）と、
を備え、
前記フィン（７１）は、前記波形状の谷の部分において上下に貫通したフィン貫通開口（Ｈ１）を有しており、
前記第２伝熱管（５２）は、前記第２冷媒通路以外の位置であって前記フィン貫通開口（Ｈ１）と鉛直方向に重なる部分を有する位置において上下に貫通した排水空間（Ｍ２）を有している、
熱交換器（１）。
【請求項２】
前記第２伝熱管（５２）は、前記空気流れ方向上流側に設けられた上流側第２冷媒通路を有する上流側第２伝熱管（５２ｂ）と、前記空気流れ方向下流側に設けられた下流側第２冷媒通路を有する下流側第２伝熱管（５２ｃ）と、を有しており、
前記排水空間（Ｍ２）は、前記上流側第２伝熱管と前記下流側第２伝熱管との間に位置している、
請求項１に記載の熱交換器（１）。
【請求項３】
前記上流側第２伝熱管（５２）は、複数本の前記上流側第２冷媒通路が水平方向に互いに平行に並んだ扁平形状であり、
前記下流側第２伝熱管（５２）は、複数本の前記下流側第２冷媒通路が水平方向に互いに平行に並んだ扁平形状である、
請求項２に記載の熱交換器（１）。
【請求項４】
前記上流側第２伝熱管（５２ｂ）および前記下流側第２伝熱管（５２ｃ）は、円柱形状である、
請求項２に記載の熱交換器（１）。
【発明の詳細な説明】
【技術分野】
【０００１】
本発明は、空気調和装置に用いられ、空冷式でかつ強制通風式の熱交換器に関する。
【背景技術】
【０００２】
空気調和装置の熱交換器としては、例えば、水平方向に延びた伝熱管が複数本鉛直方向に並べられており、各伝熱管の間にフィンが配置されてなる、いわゆる積層型の熱交換器が用いられている。
【０００３】
このような積層型の熱交換器としては、例えば、以下の特許文献１に示すように、水平方向に延びている扁平伝熱管と、この扁平伝熱管が延びる方向に直行する面状に広がっており扁平伝熱管によって貫通されているフィンと、を有するものが提案されている。この特許文献１の熱交換器によると、扁平伝熱管の延びる方向と交差する方向を空気流方向としつつ、扁平伝熱管の扁平面を水平方向から傾斜させて風下側が風上側よりも下方に位置するように配置している。そして、フィンには、伝熱性能を向上させるために波形の起伏部が設けられており、その起伏部の稜線は、鉛直方向に延びている。
【０００４】
この熱交換器では、熱交換器が冷媒の蒸発器として機能する場合に、周囲空気に含まれる水分が結露水となってフィン面上に生じ、扁平伝熱管の上面に溜まることがあるが、その場合であっても、風下側が下方になるように扁平伝熱管が傾斜しているため、凝縮水の排水を促すことができるようにしている。これにより、扁平伝熱管上に結露水が滞留している場合よりも、排水を促した場合のほうが、熱交換器を通過する空気抵抗を小さく抑えることができ、熱交換効率を向上させることができている。
【特許文献１】特開２００５−１２１３１８号公報
【発明の開示】
【発明が解決しようとする課題】
【０００５】
上述の特許文献１に記載の熱交換器では、扁平伝熱管とフィンが交互に積層された構成を有しており、扁平伝熱管の上面に溜まりがちであっても、風下側が下方になるように扁平伝熱管を傾斜させて配置することで凝縮水の排水を促すようにしている。
【０００６】
しかし、上記特許文献１の熱交換器では、扁平伝熱管を傾斜させて配置しているため、熱交換器自体の通風抵抗が増大してしまっている。
【０００７】
このような通風抵抗を小さく抑えるためには、例えば、扁平伝熱管の扁平面が水平方向となるように配置したり、フィンの厚み方向が空気流れ方向に対して垂直となるように配置したりする対応が考えられる。
【０００８】
ところが、波形状のフィンが採用されている場合に、フィンの厚み方向が空気流れ方向に対して垂直となるように配置した場合には、波形状のフィンの上面側で生じた結露水は、波形状のフィンのうち谷の部分に集まって滞留しがちになる。このような場合には、熱交換を行うための有効熱交換面積が小さくなってしまうだけでなく、滞留している結露水が通風抵抗を増大してしまうことがある。
【０００９】
本発明の課題は、波形状のフィンを用いた場合であっても、通風抵抗を小さく抑えつつ、結露水の排水を促すことが可能な空気調和装置の熱交換器を提供することにある。
【課題を解決するための手段】
【００１０】
第１発明の熱交換器は、空気調和装置に用いられ、空冷式でかつ強制通風式の熱交換器であって、第１伝熱管、第２伝熱管およびフィンを備えている。第１伝熱管は、強制通風により水平方向に生じる空気流れ方向に対して直交している水平方向に冷媒を流す第１冷媒通路を有している。第２伝熱管は、第１伝熱管の鉛直下方に配置され、空気流れ方向に対して平行な方向に冷媒を流す第２冷媒通路を有している。フィンは、少なくとも第１伝熱管と第２伝熱管との間に位置しており、第１伝熱管と第２伝熱管との少なくともいずれかに接している。このフィンは、厚み方向が空気流れ方向に直交するように設けられている。また、このフィンは、空気流れ方向から見た場合に波形状となるように設けられている。フィンは、波形状の谷の部分において上下に貫通したフィン貫通開口を有している。第２伝熱管は、第２冷媒通路以外の位置であってフィン貫通開口と鉛直方向に重なる部分を有する位置において上下に貫通した排水空間を有している。ここで、水平には、正確な水平だけに限られず、水平方向から僅かに傾斜する場合も含まれ、実質的に水平であればよい。また、鉛直は、正確な鉛直だけに限られず、鉛直方向から僅かに傾斜する場合も含まれ、実質的に鉛直であればよい。
【００１１】
この熱交換器では、フィンの板状部分は、その厚み方向が空気流れ方向に直交するように配置されているため、この板状部分により通風抵抗を小さく抑えることができている。そして、フィンは、第１伝熱管と第２伝熱管との少なくともいずれかに接しているため、熱交換に有効な伝熱面積を拡大させることができている。フィンに設けられたフィン貫通開口の鉛直方向下方には第２伝熱管に設けられた排水空間の少なくとも一部が位置しているため、熱交換によって空気中の水分が冷やされて波形状のフィンの上面側や第１伝熱管に結露水が生じて、波形状のフィンの谷部分に結露水が集まってきたとしても、このフィン貫通開口および排水空間を介して結露水を下に排水させることができる。
【００１２】
このように、波形状のフィンを用いた場合であっても、通風抵抗を小さく抑えつつ、結露水の排水を促すことが可能になる。
【００１３】
第２発明の熱交換器は、第１発明の熱交換器において、第２伝熱管は、空気流れ方向上流側に設けられた上流側第２冷媒通路を有する上流側第２伝熱管と、空気流れ方向下流側に設けられた下流側第２冷媒通路を有する下流側第２伝熱管と、を有している。排水空間は、上流側第２伝熱管と下流側第２伝熱管との間に位置している。
【００１４】
この熱交換器では、第２冷媒通路が予め複数に別れているため、第２伝熱管における排水空間を設ける際に冷媒の流れている部分を避ける必要性がなくなり、製造しやすくなる。
【００１５】
第３発明の熱交換器は、第２発明の熱交換器において、上流側第２伝熱管は、複数本の上流側第２冷媒通路が水平方向に互いに平行に並んだ扁平形状である。下流側第２伝熱管は、複数本の下流側第２冷媒通路が水平方向に互いに平行に並んだ扁平形状である。
【００１６】
この熱交換器では、上流側第２伝熱管および下流側第２伝熱管が扁平形状である場合には、その上面側に結露水が滞留しがちになるが、その場合であってもフィン貫通開口および排水空間によって排水を促すことができる。
【００１７】
第４発明の熱交換器は、第２発明の熱交換器において、上流側第２伝熱管および下流側第２伝熱管は、円柱形状である。
【００１８】
この熱交換器では、上流側第２伝熱管および下流側第２伝熱管の表面積を大きくすることができるので、伝熱性能を向上させることができる。
【発明の効果】
【００１９】
第１発明では、波形状のフィンを用いた場合であっても、通風抵抗を小さく抑えつつ、結露水の排水を促すことが可能になる。
【００２０】
第２発明では、第２伝熱管における排水空間を設ける際に冷媒の流れている部分を避ける必要性がなくなり、製造しやすくなる。
【００２１】
第３発明では、上流側第２伝熱管および下流側第２伝熱管が扁平形状であっても、フィン貫通開口および排水空間によって排水を促すことができる。
【００２２】
第４発明では、伝熱性能を向上させることができる。
【発明を実施するための最良の形態】
【００２３】
＜１＞本発明の熱交換器が用いられる空気調和装置について
本発明の熱交換器は、少なくとも空気調和装置における冷媒の蒸発器として用いることができるものである。本発明の熱交換器は、冷房運転と暖房運転とを切り換えることができる空気調和装置に用いられる場合には、冷媒の蒸発器として機能することができるだけでなく、冷媒の放熱器として機能することができるものであってもよい。
【００２４】
本発明の熱交換器は、空冷式でかつ強制通風式の熱交換器である。このため、空気調和装置には、本発明の熱交換器に対して空気流れを供給する送風機（図示せず）が備わっている。
【００２５】
ここで、送風機は、自己が生じさせる空気流れ方向に対して、熱交換器の下流側に配置されていてもよいし、上流側に配置されていてもよい。また、送風機が形成する空気流れは、送風流路を形成する他の部材等によって自在に空気流れ方向の向きを変更できる。ここでは、そのようにして自在に向きを変更した後で、熱交換器を通過する際には、熱交換器を略水平方向に通過するように配置されている。
【００２６】
そして、本発明の熱交換器が空気調和装置において冷媒の蒸発器として機能している際に、送風機から空気が供給される状態では、熱交換器は、送風機によって供給される空気を利用して熱交換が行われる。ここでの熱交換では、送風機によって供給される空気の熱によって、伝熱管の内部を流れる冷媒が暖められて、蒸発する。他方、熱交換器に供給され、熱交換器を通過した空気は、伝熱管の内部を流れる冷媒の熱によって冷やされて、温度が低下する。この際、熱交換器の表面温度が、供給される空気の温度よりも低い状態となっていることから、供給される空気が冷やされる際に、熱交換器の表面に結露水が生じることがある。
【００２７】
本発明の熱交換器は、結露水等の熱交換器表面に付着した水の排水を促す構造を有する熱交換器を提供するものである。
【００２８】
以下、本発明の一実施形態である熱交換器について、図面を参照しつつ説明する。
【００２９】
＜２＞熱交換器
（全体構成）
図１に、熱交換器１の外観斜視図を示す。なお、この図１においては、後述する扁平伝熱管５の詳細部分は省略して示している。
【００３０】
なお、図１に示されるように熱交換器１が見える側を正面側とし、背面側、左側面側、右側面側、上面側および底面側は正面側を基準として把握されるものとして、以下、説明する。
【００３１】
図２に、図１中においてＡで示す部分の部分拡大図を示す。
【００３２】
図３に、図２におけるＢ−Ｂ断面で扁平伝熱管５とフィン７とを詳細する側面視断面図を示す。なお、図３では、説明のために、フィン７のうち断面に位置していない部分も合わせて示している。
【００３３】
図４に、熱交換器１の部分拡大概略斜視図を示す。
【００３４】
熱交換器１は、分流ヘッダ２、合流ヘッダ３、扁平伝熱管５およびフィン７を備えている。
【００３５】
分流ヘッダ２には、図１中においてＲ１で示す方向から、液状態の冷媒や気液二相状態の冷媒が送り込まれる。そして、分流ヘッダ２に供給された冷媒は、扁平伝熱管５の複数の流路に別れて、合流ヘッダ３まで流れる。
【００３６】
合流ヘッダ３は、分流ヘッダ２と空気流れ方向成分において同様の位置に設けられており、扁平伝熱管５の複数の流路から流れてきた冷媒を合流させ、図１中においてＲ２で示す方向に冷媒を送り出す。
【００３７】
扁平伝熱管５は、図３、図４に示すように、アルミニウムまたはアルミニウム合金から成形されており、鉛直方向に並んで配置される第１扁平伝熱管５１、第２扁平伝熱管５２および第３扁平伝熱管５３等を有している。第１扁平伝熱管５１、第２扁平伝熱管５２および第３扁平伝熱管５３等は、鉛直上側において水平方向に広がった扁平面と、鉛直下側とにおいて水平方向に広がった扁平面を有しており、長手方向が空気流れ方向に対して直交する向きであって水平方向となるように伸びている。このように、偏平伝熱管５は、扁平面が水平に広がっているため、水平方向から傾斜して配置される場合と比較して、水平方向に流れている空気流れに対する通風抵抗を小さく抑えることができる。
【００３８】
ここで、第１扁平伝熱管５１は、図３、図４に示すように、空気流れ方向の上流側に配置される上流側第１扁平伝熱管５１ｆと下流側第１扁平伝熱管５１ｂとを有している。この上流側第１扁平伝熱管５１ｆと下流側第１扁平伝熱管５１ｂとは、空気流れ方向に延びる接続部５１ｍを介して接続されることで一体化されている。ここで、上流側第１扁平伝熱管５１ｆと下流側第１扁平伝熱管５１ｂと隣接する２つの接続部５１ｍとによって囲まれる空間である排水空間Ｍ１を有している。
【００３９】
また、同様に、第２扁平伝熱管５２は、空気流れ方向の上流側に配置される上流側第２扁平伝熱管５２ｆと下流側第２扁平伝熱管５２ｂとを有している。この上流側第２扁平伝熱管５２ｆと下流側第２扁平伝熱管５２ｂとは、空気流れ方向に延びる接続部５２ｍを介して接続されることで一体化されている。ここで、上流側第２扁平伝熱管５２ｆと下流側第２扁平伝熱管５２ｂと隣接する２つの接続部５２ｍとによって囲まれる空間である排水空間Ｍ２を有している。
【００４０】
そして、第３扁平伝熱管５３は、空気流れ方向の上流側に配置される上流側第３扁平伝熱管５３ｆと下流側第３扁平伝熱管５３ｂとを有している。この上流側第３扁平伝熱管５３ｆと下流側第３扁平伝熱管５３ｂとは、空気流れ方向に延びる接続部５３ｍを介して接続されることで一体化されている。ここで、上流側第３扁平伝熱管５３ｆと下流側第３扁平伝熱管５３ｂと隣接する２つの接続部５３ｍとによって囲まれる空間である排水空間Ｍ３を有している。
【００４１】
これら上流側第１扁平伝熱管５１ｆ、下流側第１扁平伝熱管５１ｂ、上流側第２扁平伝熱管５２ｆ、下流側第２扁平伝熱管５２ｂ、上流側第３扁平伝熱管５３ｆおよび下流側第３扁平伝熱管５３ｂ等は、図３に示すように、いずれも、空気流れ方向に直交する方向である長手方向に冷媒を流すための複数の冷媒流路Ｐを有している、いわゆる多穴管と呼ばれる伝熱管となっている。これらの複数の冷媒流路Ｐは、伝熱管を扁平形状に形成させるために、伝熱管内において空気流れ方向に互いに平行になるように並んで設けられている。また、冷媒流路Ｐの管径は、非常に小さく、１つが、２５０μｍ×２５０μｍの正方形状となっており、いわゆるマイクロチャンネル熱交換器となっている。
【００４２】
フィン７は、図２、図３、図４の正面図に示すように、正面視において山部分と谷部分とが繰り返し形成されている波形状となっており、アルミニウム製またはアルミニウム合金製であり、第１扁平伝熱管５１、第２扁平伝熱管５２および第３扁平伝熱管５３等の間に、互いに分離して配置された第１フィン７１および第２フィン７２等を有している。フィン７は、山部分から谷部分までにかけて、平らに広がっている板状部分を有している。また、第１フィン７１は、図３、図４、上面図である図５に示すように、空気流れ方向の中央近傍であってかつ谷部分において鉛直方向に貫通した第１フィン貫通開口Ｈ１を有している。また、第２フィン７２も同様に、空気流れ方向の中央近傍であってかつ谷部分において鉛直方向に貫通した第２フィン貫通開口Ｈ２を有している。
【００４３】
また、第１フィン７１および第２フィンは、図３に示すように、それぞれの板状部分に、伝熱面積を増大させるための切り込みＳを有している。なお、フィン７の板厚方向は、空気流れ方向に直交する方向となるように設けられている。これにより、フィン７を設けることによる通風抵抗を小さく抑えることができている。また、フィン７の肉厚は、０．１ｍｍである。なお、このフィン７には、切り込みＳ以外には、板厚方向に凹凸が設けられていない。
【００４４】
第１フィン７１は、図２に示すように、第１扁平伝熱管５１と第２扁平伝熱管５２とによって挟まれるように配置されており、第１扁平伝熱管５１の下面側の扁平面に対して山部分の上面側が、第２扁平伝熱管５２の上面側の扁平面に対して谷部分の下面側が、それぞれ接している。第２フィン７１も同様に、第２扁平伝熱管５２と第３扁平伝熱管５３とによって挟まれるように配置されており、第２扁平伝熱管５２の下面側の扁平面に対して山部分の上面側が、第３扁平伝熱管５３の上面側の扁平面に対して谷部分の下面側が、それぞれ接している。
【００４５】
そして、扁平伝熱管５とフィン７とがこのように接している部分は、ロウ付け溶接されることで固着されている。このようにして、第１フィン７１および第２フィンは、扁平伝熱管５に固着されていることで、扁平伝熱管５内を流れる冷媒が有している熱を、扁平伝熱管５の表面だけでなく、フィン７の表面にも伝熱させることができる。これにより、熱交換器１の伝熱面積を増大させ、熱交換効率を向上させて、熱交換器１自体をコンパクト化させることができている。また、熱交換器１は、扁平伝熱管５とフィン７とが鉛直方向に交互に積み重ねられており、いわゆる積層型の熱交換器となっている。このように、熱交換器１は、積層型の熱交換器であるために、第３扁平伝熱管５３の上層に第２フィン７２を、第２フィン７２の上層に第２扁平伝熱管５２を、第２扁平伝熱管５２の上層に第１フィン７１を、第１フィン７１の上層に第１扁平伝熱管５１を、それぞれ積層配置させることができ、扁平伝熱管５の間隔は介在するフィン７によって容易に確保することができ、熱交換器の組立作業性を向上させることができる。
【００４６】
（冷媒の流れ）
以上の構成を有する熱交換器１に対して冷媒が流れ込み、熱交換器１から冷媒が流れ出る態様を説明する。
【００４７】
まず、分流ヘッダ２に対して液冷媒もしくは気液二相状態の冷媒が流入し、各第１扁平伝熱管５１、第２扁平伝熱管５２および第３扁平伝熱管５３等の各冷媒流路Ｐに概ね均等に分流される。
【００４８】
第１扁平伝熱管５１、第２扁平伝熱管５２および第３扁平伝熱管５３等の各冷媒流路Ｐを流れる間に、送風機によって供給される空気によってフィン７および扁平伝熱管５自体が暖められることで、内部を流れている冷媒も暖められる。このようにして冷媒に熱が加わることで、冷媒流路Ｐを通過する過程で、冷媒は徐々に蒸発して気相状態となっていく。なお、この過程において、熱交換器１の表面は、冷媒の熱によって冷やされた空気中の水分が結露水となって付着した状態となっている。
【００４９】
そして、ほぼ気相状態となった冷媒は、第２扁平伝熱管５２および第３扁平伝熱管５３等の各冷媒流路Ｐを通過した後、合流ヘッダ３によって合流され、１つの冷媒流れとなって、熱交換器１から流出していく。
【００５０】
（扁平伝熱管５の排水空間Ｍ１，Ｍ２，Ｍ３とフィン７のフィン貫通開口Ｈ１，Ｈ２）
第１フィン７１の有する第１フィン貫通開口Ｈ１と第２扁平伝熱管５２の有する排水空間Ｍ１との上面視における位置関係を、図５に示す。
【００５１】
第１フィン７１の第１フィン貫通開口Ｈ１は、波形状によって繰り返しも受けられる谷部分の各部分において設けられている。また、第２扁平伝熱管５２の排水空間Ｍ２は、冷媒流路Ｐの長手方向である冷媒流れ方向に向けて所定間隔で並んで設けられている。この所定間隔は、第１フィン７１の第１フィン貫通開口Ｈ１の間隔と同様にされている。
【００５２】
このため、図５に示すように、各第１フィン貫通開口Ｈ１と排水空間Ｍ２とは鉛直方向において重なるように位置している。
【００５３】
なお、図５において、重なって表示されている第１フィン貫通開口Ｈ１および排水空間Ｍ２と、隣接する第１フィン貫通開口Ｈ１および排水空間Ｍ２と、の間には、第１フィン７１の山部分を点線で示している。
【００５４】
（結露水の排水）
上述のように、熱交換器１が冷媒の蒸発器として機能している場合には、熱交換器１の表面に結露水が生じる。そして、この結露水は、熱交換器１の通風抵抗を増大させるため、熱交換器１の表面に滞留し続けてしまうと、熱交換効率を良好に保つことができなくなってしまう。
【００５５】
これに対して、本実施形態の熱交換器１の扁平伝熱管５に設けられた排水空間Ｍ１、Ｍ２、Ｍ３と、フィン７に設けられたフィン貫通開口Ｈ１、Ｈ２とが、鉛直方向に貫通するように重ねて設けられている。
【００５６】
このため、図６に示すように、例えば、第２扁平伝熱管５２の上方に位置している第１扁平伝熱管５１や第１フィン７１の上面側の部分において生じて、第１フィン７１の谷部分の上面側に集まってくる結露水は、第１フィン７１に設けられた第１フィン貫通開口Ｈ１と、第２扁平伝熱管５２に設けられた排水空間Ｍ２と、の重複部分を通過することで下方に排水させることができる。
【００５７】
このため、結露水は、熱交換器１のフィン７の上面側において滞留することなく、排水されやすいため、熱交換器１の通風抵抗を小さく抑えることができている。
【００５８】
＜３＞本実施形態の熱交換器の特徴
従来の熱交換器９０１は、例えば、図１０に示すように、冷媒流路Ｐを有する扁平伝熱管９５１、９５２、９５３と、その扁平伝熱管９５１，９５２，９５３の間に配置されたフィン９７１，９７２によって構成されている。そして、フィン９７１、９７２には、鉛直方向に伸びるスリットＳが設けられている。この従来の熱交換器９０１では、熱交換器９０１のフィン９７１、９７２の上面側に付着した結露水は、フィン９７１，９７２の谷部分の上面側に溜まりやすく、通風抵抗が増大してしまっている。
【００５９】
これに対して、本実施形態の熱交換器１は、フィン７の有するフィン貫通開口Ｈ１、Ｈ２と扁平伝熱管５の有する排水空間Ｍ１、Ｍ２、Ｍ３との鉛直方向の貫通部分が鉛直方向に重なって配置されている。このため、フィン７の谷部分の上面側に結露水が集まった場合であっても、結露水は滞留することなく、効率的に排水されることになる。
【００６０】
これにより、通風抵抗を小さく抑えつつ、結露水の排水を促すことで通風抵抗を小さく抑えて熱交換効率を向上させることができるようになっている。
【００６１】
また、上流側第１扁平伝熱管５１ｆと下流側第１扁平伝熱管５１ｂとは、それぞれ独立しているものであり、これらを接続部５１ｍによって接続することで、扁平伝熱管５１が得られる。この際に排水空間Ｍ１が形成される。このため、多穴管タイプの扁平伝熱管に対して排水空間Ｍ１を設ける場合には、冷媒流路Ｐの位置と重複しない位置を探す作業が必要になるが、本実施形態の熱交換器１では、このような必要を無くすることができている。
【００６２】
＜４＞変形例
上記実施形態では、本発明の一実施形態を例に挙げて説明した。しかし、本発明はこれに限られるものではなく、発明の要旨を逸脱しない範囲で、以下のような種々の変更が可能である。
【００６３】
（Ａ）
上記実施形態の熱交換器１では、上流側第１扁平伝熱管５１ｆと下流側第１扁平伝熱管５１ｂと隣接する２つの接続部５１ｍとによって囲まれた排水空間Ｍ１が設けられた第１扁平伝熱管５１を例に挙げて説明した。
【００６４】
しかし，本発明はこれに限られるものではない。例えば、図７および側面視断面図である図８に示す熱交換器２０１のように、第１扁平伝熱管５１が、第１扁平伝熱管５１ｐ、第１扁平伝熱管５１ｑ、第１扁平伝熱管５１ｒおよび第１扁平伝熱管５１ｓの４本の冷媒配管によって構成されていてもよい。ここで、第１扁平伝熱管５１ｐ、第１扁平伝熱管５１ｑ、第１扁平伝熱管５１ｒおよび第１扁平伝熱管５１ｓは、いずれも冷媒流路Ｐを内部に１本だけ有している円筒形状となっている。これにより、上記実施形態で説明した多穴管タイプの扁平伝熱管５よりも、冷媒が流れる配管が有している熱交換に有効な表面積を増大させることができている。
【００６５】
そして、第１扁平伝熱管５１ｐと第１扁平伝熱管５１ｑとの間、第１扁平伝熱管５１ｑと第１扁平伝熱管５１ｒとの間、第１扁平伝熱管５１ｒと第１扁平伝熱管５１ｓとは、それぞれ離れて配置されており、それらの間にはそれぞれ排水空間Ｍ１が設けられている。
【００６６】
また、フィン７は、上記実施形態と同様である。
【００６７】
これによって、フィン７の谷部分の上面側に結露水が集まったとしても、排水空間Ｍ１から効率的に排水することができる。
【００６８】
（Ｂ）
上述した実施形態では、フィン７の形状が波形状である場合を例に挙げて説明した。
【００６９】
しかし、本発明はこれに限られるものではなく、例えば、板状部分が鉛直方向に延びるように設けられたものであってもよい。
【００７０】
（Ｃ）
上述した実施形態では、積層型の熱交換器を例に挙げて説明した。
【００７１】
しかし、本発明はこれに限られるものではなく、例えば、上記実施形態においては扁平伝熱管５によって不連続となっているフィン７を、扁平伝熱管５よりも空気流れ方向に突出した部分を設けて連続化させるように形成したクロスフィンチューブ型の熱交換器であってもよい。
【産業上の利用可能性】
【００７２】
本発明の熱交換器は、結露水の排水を促して通風抵抗を小さく抑えることが可能になるため、空気調和装置において冷媒の蒸発器として機能することが可能な熱交換器に適用する場合に特に有用である。
【図面の簡単な説明】
【００７３】
【図１】本実施形態の熱交換器の概略外観斜視図である。
【図２】図１においてＡで示す部分の部分拡大図である。
【図３】図２においてＢ−Ｂで示す面で切断した場合の横断面図である。
【図４】熱交換器の概略斜視図である。
【図５】熱交換器の扁平伝熱管とフィンとの開口部分の重なりを示す上面図である。
【図６】熱交換器において結露水が排水される様子を示す図である。
【図７】変形例（Ａ）にかかる熱交換器の概略斜視図である。
【図８】変形例（Ａ）にかかる熱交換器の側面視断面図である。
【図９】変形例（Ａ）にかかる熱交換器において結露水が排水される様子を示す図である。
【図１０】従来の積層型熱交換器の横断面図である。
【符号の説明】
【００７４】
１  熱交換器
２  分流ヘッダ
３  合流ヘッダ
５  扁平伝熱管
７  フィン
５１〜５３  第１扁平伝熱管〜第３扁平伝熱管
７１〜７２  第１フィン〜第２フィン
Ｈ１、Ｈ２  フィン貫通開口
Ｍ１〜Ｍ３  排水空間
Ｐ  冷媒流路
【図１】
2010025481.tif 000003
【図２】
2010025481.tif 000004
【図３】
2010025481.tif 000005
【図４】
2010025481.tif 000006
【図５】
2010025481.tif 000007
【図６】
2010025481.tif 000008
【図７】
2010025481.tif 000009
【図８】
2010025481.tif 000010
【図９】
2010025481.tif 000011
【図１０】
2010025481.tif 000012